(57)【特許請求の範囲】
【請求項１】
複数の利用者が幅方向に並んで着座可能な座部と、
前記座部の後部又は後方に配された背凭れ部と、
前記座部の上方に形成される着座スペースを前記幅方向に複数に区画する区画部材と、を備え、
前記区画部材は、複数の前記着座スペースのうち、一部の前記着座スペースの幅が、他の前記着座スペースの幅よりも大きくなるよう設けられ、
前記座部は、平面視略長方形状をなし、その前端部のみが、幅方向両端部よりも、幅方向中央部が前方に膨出した、複数の前記着座スペースにわたる湾曲状をなし、前記幅方向中央部よりも幅方向両側が後方に位置するよう形成されている、椅子。
【請求項２】
前記座部の前記幅方向の端部に位置する前記着座スペースよりも前記幅方向の内側に位置する前記着座スペースを、幅方向内側に位置する着座スペースとしたとき、
前記区画部材は、前記幅方向内側に位置する前記着座スペースの幅が、前記幅方向の端部に位置する前記着座スペースの幅よりも大きくなるよう設けられている、請求項１に記載の椅子。
【請求項３】
前記区画部材は、前記座部の幅方向の端部に位置する前記着座スペースの幅が、他の前記着座スペースの幅よりも大きくなるよう設けられている、請求項１に記載の椅子。
【発明の詳細な説明】
【技術分野】
【０００１】
本発明は、ソファやベンチ等の椅子に関する。
【背景技術】
【０００２】
役所、金融機関、病院、駅、空港等の待合室において、複数の利用者が横方向に並んで着座できるベンチが使用されている。ベンチには、利用者が着座する座面を有した座部に加え、背凭れを備えたものがある。
【０００３】
このようなベンチは、特許文献１に開示されているように、座部フレームと、背部フレームと、座部フレームの上面に設けられた座部クッションと、背部フレームの前面に設けられた背部クッションと、座部クッション及び背部クッションを覆うよう設けられた表皮材と、を備えた構成を有している。
このようなベンチは、座部が、複数の利用者が並ぶ幅方向を長辺とした平面視長方形状で、座部の前端部や背凭れの後端部も、幅方向に沿って延びる直線状に形成されているのが一般的である。
【０００４】
ところで、上記したようなベンチに、複数人が並んで座る場合、一人一人の着座スペースが明示されていないと、利用者が、隣接する他の利用者との間に間隔を開けて着座する結果、ベンチを利用できる人数が少なくなってしまう。
そこで、一人一人の着座スペースを明示するため、座面上に線を引いたり、座部クッションを個別に分けたり、肘掛け等の区画部材を設けることが行われている。
【先行技術文献】
【特許文献】
【０００５】
【特許文献１】特開平７−３１３３０１号公報
【発明の概要】
【発明が解決しようとする課題】
【０００６】
しかしながら、傷病者や身体障害者等、利用者の体が不自由である場合、体格が大きい場合、子供連れや多くの荷物を所持している場合等においては、一人一人の着座スペースが明示されていると、その利用者にとっては着座スペースの幅が狭く、着座できないことがある。
そこでなされた本発明の目的は、様々な利用者が利用しやすい、利便性の高いソファやベンチ等の椅子を提供することである。
【課題を解決するための手段】
【０００７】
本発明は、上記課題を解決するため、以下の手段を採用する。
この発明に係る椅子は、複数の利用者が幅方向に並んで着座可能な座部と、前記座部の後部又は後方に配された背凭れ部と、前記座部の上方に形成される着座スペースを前記幅方向に複数に区画する区画部材と、を備え、前記区画部材は、複数の前記着座スペースのうち、一部の前記着座スペースの幅が、他の前記着座スペースの幅よりも大きくなるよう設けられている。
【０００８】
このようにして、一部の着座スペースの幅を、他の着座スペースの幅よりも大きくすると、利用者が、傷病者や身体障害者等、利用者の体が不自由である場合、体格が大きい場合、子供連れや多くの荷物を所持している場合等であっても、幅の大きな着座スペースに着座することで、椅子を利用しやすくなる。
【０００９】
また、本発明に係る椅子は、上記椅子において、前記区画部材は、前記座部の前記幅方向の端部に位置する前記着座スペースよりも前記幅方向内側に位置する前記着座スペースの幅が、他の前記着座スペースの幅よりも大きくなるよう設けられているようにしてもよい。
これにより、幅方向内側に位置する着座スペースを利用しやすくなる。
【００１０】
また、本発明に係る椅子は、上記椅子において、前記区画部材は、前記座部の幅方向の端部に位置する前記着座スペースの幅が、他の前記着座スペースの幅よりも大きくなるよう設けられているようにしてもよい。
このように、幅方向端部に位置する着座スペースを利用しやすくなる。
【００１１】
また、本発明に係る椅子は、上記椅子において、前記座部の前端部は、幅方向中央部よりも幅方向両側が後方に位置するよう形成されているようにしてもよい。
このように、座部の前端部の幅方向両側を後方に位置させることで、椅子の座部の前方を利用者が通る際に、アクセス性を高めることができる。
【発明の効果】
【００１２】
この発明に係る椅子によれば、様々な利用者が利用しやすくなり、利便性を高めることができる。
【図面の簡単な説明】
【００１３】
【図１】本発明の一実施形態に係る椅子を斜め前方から見た斜視図である。
【図２】上記椅子を斜め後方から見た斜視図である。
【図３】上記椅子の内部構造を示す斜視図である。
【図４】上記椅子に対する区画部材の取付構造を示す斜視図である。
【図５】上記椅子における区画部材のレイアウトの変形例を示す平面図である。
【発明を実施するための形態】
【００１４】
以下、添付図面を参照して、本発明による椅子を実施するための形態を説明する。しかし、本発明はこの実施形態のみに限定されるものではない。
【００１５】
図１は、本発明の一実施形態に係る椅子を斜め前方から見た斜視図である。図２は、上記椅子を斜め後方から見た斜視図である。図３は、上記椅子の内部構造を示す斜視図である。図４は、上記椅子に対する区画部材の取付構造を示す平面図である。
以下の説明において、ベンチ（椅子）１０に利用者が着座した状態で、利用者が正面を向く方向を前方、その反対方向を後方または背面側、前方と後方とを結ぶ方向に水平面内で直交する方向を幅方向と適宜称する。
図１、図２に示すように、ベンチ１０は、座部２０と、背凭れ部３０と、を備えている。
【００１６】
座部２０は、木製または金属製の座部フレーム２１（図３参照）と、座部クッション２２と、表皮材２３と、から構成されている。座部２０は、幅方向に長く、前後方向に短い平面視略長方形状に形成されている。
【００１７】
図３に示すように、座部フレーム２１は、床面Ｆと平行に配置された底板２４と、底板２４の上方に隙間を隔てて配置された上板２５と、底板２４上に立設され、上板２５を支持する支持材２６と、を一体に備えている。底板２４の下面には、下方に向かって延び、床面Ｆ上に立脚する脚部材２７が装着されている。
【００１８】
図１、図２に示すように、座部クッション２２は、上板２５（図３参照）上に設けられている。座部クッション２２は、例えば、ウレタン等、適宜のクッション材からなる。
【００１９】
表皮材２３は、皮革、布、ビニール系素材等からなり、座部クッション２２及び座部フレーム２１の少なくとも上方、前方、及び幅方向両側方を覆うように設けられている。
【００２０】
図１に示すように、このような座部２０において、座部２０の前端部２０ｆは、座部２０の幅方向の中央部２０ｃに対し、幅方向の両端部２０ｓ，２０ｓが後方に位置するよう形成されている。図１の例では、座部２０の前端部２０ｆは、平面視した状態で、幅方向両端部２０ｓ，２０ｓに対し、中央部２０ｃが前方に膨出する湾曲面２０ｗによって形成されている。
【００２１】
図１、図２に示すように、背凭れ部３０は、木製または金属製の背部フレーム３１（図３参照）と、背部クッション３２と、表皮材３３と、から構成されている。背凭れ部３０は、座部２０の後端部から上方に向かって延びるよう形成されている。
【００２２】
図３に示すように、背部フレーム３１は、座部フレーム２１の後端部から上方に向かって延びる背面板３４と、背面板３４の前方に隙間を隔てて配置された前面板３５と、背面板３４と前面板３５との間に設けられた支持材３６と、を一体に備えている。
【００２３】
図１に示すように、背部クッション３２は、前面板３５（図３参照）の前方を覆うように設けられている。背部クッション３２は、例えば、ウレタン等、適宜のクッション材からなる。
【００２４】
表皮材３３は、皮革、布、ビニール系素材等からなり、背部クッション３２及び背部フレーム３１の前方、後方、上方、及び幅方向両側方を覆うように設けられている。
【００２５】
図２に示すように、このような背凭れ部３０において、背凭れ部３０の背面３０ｒは、幅方向両側に、背凭れ部３０の背面３０ｒの幅方向の中央部３０ｃに対し、前方に向かって傾斜した切欠き面３７が形成されている。
この実施形態では、背凭れ部３０の背面３０ｒの中央部３０ｃは、床面Ｆに直交する鉛直面３０Ｖによって形成されている。これに対し、切欠き面３７は、上方から下方に向かって漸次前方に傾斜しつつ、鉛直面３０Ｖ側から幅方向外方に向かって漸次前方に傾斜する傾斜面３０Ｆによって形成されている。この傾斜面３０Ｆは、背凭れ部３０の背面３０ｒと側面３０ｓとの交差部を頂点３０ｔとした三角形状をなし、その底辺３０ｂは、鉛直面３０Ｖの下端部と座部２０の側面２０ｇの下端部とを斜めに接続するよう形成されている。
【００２６】
図１、図４に示すように、ベンチ１０には、座部２０の上方のスペースを幅方向に複数に区画する区画部材４０が設けられている。区画部材４０は、例えば肘掛けとして用いられる。
区画部材４０は、座部２０の上面２９と、背凭れ部３０の背凭れ面３９とにそれぞれ直交し、座部２０の上方、かつ背凭れ部３０の前方に延びるよう設けられている。この実施形態では、区画部材４０は、座部２０の上面２９と、背凭れ部３０の背凭れ面３９とに直交する面内に位置する板状をなしている。区画部材４０は、板状に限らず、肘掛け等に用いられる適宜の棒状等の部材によって形成することができる。
区画部材４０は、適宜のクッション材や表皮材で、その表面を覆うことができる。
【００２７】
図３に示すように、区画部材４０は、座部フレーム２１の上板２５上に配置される座部ベース部材４１に、上板２５の下方から挿通されるビス４３によって、上板２５に固定されている。また、区画部材４０は、背部フレーム３１の前面板３５の前面に沿って配置される背部ベース部材４２に、前面板３５の後方から挿通されるビス４４によって、前面板３５に固定されている。
【００２８】
この実施形態において、ベンチ１０には、例えば二つの区画部材４０，４０が設けられている。これにより、座部２０の上方のスペースは、幅方向に、三つの着座スペースＳ１，Ｓ２，Ｓ３に区画されている。さらに、ベンチ１０は、着座スペースＳ１〜Ｓ３のうち、ベンチ１０の幅方向中央部に位置する着座スペースＳ２の幅Ｗ２が、他の着座スペースＳ１，Ｓ３の幅Ｗ１，Ｗ３よりも大きくなるよう、区画部材４０，４０が配置されている。
【００２９】
上述したように、ベンチ１０は、ベンチ１０は、複数の利用者が幅方向に並んで着座可能な座部２０と、座部２０に支持された背凭れ部３０と、座部２０の上方に形成される着座スペースＳ１〜Ｓ３を幅方向に複数に区画する区画部材４０と、を備え、区画部材４０は、複数の着座スペースＳ１〜Ｓ３のうち、一部の着座スペースＳ２の幅Ｗ２が、他の着座スペースＳ１，Ｓ３の幅Ｗ１，Ｗ３よりも大きくなるよう設けられている。
このように、ベンチ１０は、区画部材４０によって区画された複数の着座スペースＳ１〜Ｓ３のうち、中央部の着座スペースＳ２の幅Ｗ２が広く形成されているので、利用者が、傷病者や身体障害者等、利用者の体が不自由である場合、体格が大きい場合、子供連れや多くの荷物を所持している場合等であっても、中央部の着座スペースＳ２を容易に利用することができる。また、中央部の着座スペースＳ２は、通常、両側方の着座スペースＳ１，Ｓ３を使用している他の利用者の存在を感じやすいが、この実施形態においては、中央部の着座スペースＳ２の幅Ｗ２が広く形成されているので、他の利用者の存在を感じにくい。したがって、ベンチ１０の利便性を高めることができる。
【００３０】
また、座部２０の前端部２０ｆは、幅方向中央部２０ｃよりも幅方向両端部２０ｓ，２０ｓが後方に位置するよう形成されている。
このように、座部２０の前端部２０ｆの幅方向両端部２０ｓ，２０ｓを後方に位置させることで、ベンチ１０の座部２０の前方を利用者が通る際にも、アクセス性を高めることができる。また、ベンチ１０の幅方向両側の着座スペースＳ１，Ｓ３を使用している利用者は、座部２０の前端部２０ｆの形状、すなわち、幅方向両端部２０ｓ，２０ｓに対し、中央部２０ｃが前方に膨出した湾曲面２０ｗに合わせて正面（前方）よりも斜め外方向くことになる。したがって、ベンチ１０の幅方向両側の着座スペースＳ１，Ｓ３を使用している利用者は、幅方向中央の着座スペースＳ２を使用している利用者と視線が交差しにくい。
【００３１】
また、ベンチ１０は、背凭れ部３０の背面３０ｒの幅方向両側に、切欠き面３７が形成されている。したがって、前後方向に間隔を開けて、座部２０の前端部２０ｆを同じ方向を向けて複数並べて設置した場合、前後のベンチ１０，１０の間に利用者が出入りする際、後方のベンチ１０の背凭れ部３０の背面３０ｒの幅方向の両側の端部に干渉しにくくなっている。したがって、ベンチ１０の後方を利用者が通る際のアクセス性を高めることができる。
【００３２】
（実施形態の変形例）
上記実施形態では、ベンチ１０は、着座スペースＳ１〜Ｓ３のうち、ベンチ１０の幅方向中央部に位置する着座スペースＳ２の幅Ｗ２を広く形成するようにしたが、これに限らない。
図５に示すように、ベンチ１０の幅方向一端側に位置する着座スペースＳ１の幅Ｗ１を、他の着座スペースＳ２，Ｓ３の幅Ｗ２，Ｗ３よりも大きくなるよう、区画部材４０，４０を配置してもよい。
このようにすると、利用者が、傷病者や身体障害者等、利用者の体が不自由である場合、体格が大きい場合、子供連れや多くの荷物を所持している場合等であっても、着座スペースＳ１を容易に利用することができる。特に、着座スペースＳ１は、ベンチ１０の幅方向一端側に位置するので、幅方向中央部の着座スペースＳ２よりも、より利用しやすいというメリットがある。
【００３３】
（その他の実施形態）
なお、本発明の椅子は、図面を参照して説明した上述の実施形態に限定されるものではなく、その技術的範囲において様々な変形例が考えられる。
例えば、ベンチ１０に形成する区画部材４０の数は、二つに限らず、少なくとも一つ以上であればよい。また、ベンチ１０に設ける複数の着座スペースの内、幅が広い着座スペースの位置や数は、適宜設定することができる。
また、区画部材４０は、座部２０及び背凭れ部３０の少なくともいずれか一方に支持されていればよい。
また、ベンチ１０の全体的な形状や構造は、上記実施形態で例示したものに限らない。例えば、上記実施形態では、背凭れ部３０が、座部２０の後端部に支持されて設けられているが、これに限らず、背凭れ部３０は、座部２０の後端部に、脚部材２７等の脚に支持されて設けられていてもよい。
さらに、背凭れ部３０は、座部２０の後端部に限らず、座部２０の後部又は座部２０の後方に設けられているのであればよく、その位置や取付構造について、何ら限定するものではない。
これ以外にも、本発明の主旨を逸脱しない限り、上記実施の形態で挙げた構成を取捨選択したり、他の構成に適宜変更したりすることが可能である。
【符号の説明】
【００３４】
１０  ベンチ（椅子）
２０  座部
２０ｃ  中央部
２０ｆ  前端部
２０ｓ  端部
３０  背凭れ部
Ｓ１，Ｓ２，Ｓ３  着座スペース
Ｗ１，Ｗ２，Ｗ３  幅
【図１】
0006723006.tif 000002
【図２】
0006723006.tif 000003
【図３】
0006723006.tif 000004
【図４】
0006723006.tif 000005
【図５】
0006723006.tif 000006